(57)【要約】【課題】  直線偏光光の照明光で照明された液晶パネル等の表示素子からの射出光を、効率良く、ホワイトバランスを保った状態でスクリーン等の被投写面に投写する投写光学系及びそれを用いた投写型表示装置を提供することを目的とする。【解決手段】  少なくとも１つの反射面を有し、複数の直線偏光光を合成した合成光を所定の被投写面に投写する投写光学系であって、前記少なくとも１つの反射面のうち過半数の反射面に対して、略Ｓ偏光の状態で前記複数の直線偏光光を入射させることを特徴としている。また、本願の投写型表示装置は、複数の画像表示素子と、該複数の画像表示素子からの光を被投写面に投写する、前述の投写光学系とを備える。【選択図】  図１
2006003637.tif 000002
【特許請求の範囲】
【請求項１】
少なくとも１つの反射面を有し、複数の直線偏光光を合成した合成光を所定の被投写面に投写する投写光学系であって、
前記少なくとも１つの反射面のうち過半数の反射面に対して、略Ｓ偏光の状態で前記複数の直線偏光光を入射させることを特徴とする投写光学系。
【請求項２】
複数の画像表示素子と、該複数の画像表示素子からの光を被投写面に投写する、請求項１記載の投写光学系とを備えることを特徴とする投写型表示装置。
【請求項３】
複数の色光に対応する複数の画像表示素子と、前記複数の画像表示素子から出射する複数の色光を合成する合成光学系と、該合成光学系からの光束のうち前記複数の色光のうち１つの色光の偏光方向を９０度回転させる波長選択的λ／２板と、少なくとも１つの反射面を含み、前記波長選択的λ／２板から出射した光を被投写面に導く投写光学系とを備える投写型表示装置であって、
前記合成光学系を経た前記複数の画像表示素子から出射する複数の色光のうち、第１の色光の偏光方向と第２の色光の偏光方向とは互いに略直交しており、
前記投写光学系に入射する前記第１の色光と前記第２の色光が共に、前記少なくとも１つの反射面に対して略Ｓ偏光となることを特徴とする投写型表示装置。
【請求項４】
前記複数の色光とは、赤色光、緑色光、青色光の３つの色光であって、
前記波長選択的λ／２板は、前記３つの色光のうち１つの色光又は２つの色光の偏光方向を９０度回転させる機能を有していることを特徴とする請求項３記載の投写型表示装置。
【請求項５】
前記少なくとも１つの反射面は複数の反射面であって、
前記複数の反射面のうち過半数の反射面に対して、前記投写光学系に入射する前記第１の色光と前記第２の色光が共に、略Ｓ偏光として入射することを特徴とする請求項３又は４記載の投写型表示装置。
【請求項６】
前記波長選択的λ／２板を経た光束は略直線偏光となっており、
該直線偏光の方向と、前記画像表示素子の中心と前記投写光学系内の開口絞りの重心とを通る基準軸光線が前記少なくとも１つの反射面において形成する入射面とが、互いに垂直であることを特徴とする請求項３乃至５いずれかに記載の投写型表示装置。
【発明の詳細な説明】
【技術分野】
【０００１】
本発明は投写光学系、投写型表示装置に関わる発明であって、特に、液晶パネル等を用いて画像を形成し、それを投写する投写型表示装置に関わるものである。
【背景技術】
【０００２】
液晶パネルを用いた投写型表示装置では、赤、緑、青の三つの波長域（波長帯域）の光束に分解された直線偏光である照明光によって、赤用、緑用、青用の液晶パネルが照明される。そして、波長域別に液晶パネルにより偏光方向が制御された後、検光子により所定の直線偏光光を透過、その直線偏光光の偏光方向と直交する偏光方向を有する直線偏光光を遮光させる。その後、色合成系で検光子を透過した光束を色合成して画像光を生成する。生成された画像光は投写光学系によりスクリーンに投射される。
【０００３】
画像光は、ある波長域ではＳ偏光、他の波長域ではＰ偏光という状態でクロスダイクロイックプリズム等の色合成系に入射する。つまり、投写光学系に色合成された画像光が入射する際、各波長域の光束の直線偏光の偏光方向は、波長域別に一致していない状態で投写光学系へと入射する。
【０００４】
波長域別に一致しない画像光をすると、反射光学系を有した投写光学系では、反射光学素子の偏光方向による反射率の違いにより、投写光学系の透過率が波長域別に差がでるため、画面上でのホワイトバランスが崩れる。
【０００５】
これを回避するために、投写光学系の入射口にλ／４板を設けて、投写光学系の透過率を波長域別に差を減らす提案がなされている。以下に引用する。
【０００６】
特許文献１では、液晶プロジェクタの映像投写レンズの入射面と３枚の液晶パネルの画像を合成するクロスダイクロイックプリズムの出射面との間の空間に、３色の直線偏光成分を円偏光または楕円偏光に変換するようにλ／４板を配置していた。
【０００７】
特許文献２では、液晶プロジェクタから出射される映像各色の偏光成分別透過率、及び反射率差を解消し、入射角の相違から発生する直線偏光間の透過率差を解消し、かつ、画面各所の色ムラを改善して、色味の均一性に優れた画面を作ることを目的としている。そこで、色合成プリズムとスクリーンとの間に投写光学系に入射される画像光の偏光成分を変える位相遅延板（λ／４板）を配置する構成を開示している。
【０００８】
特許文献３は、従来の液晶プロジェクターでは、ダイクロイックプリズムの効果を大きく活かすために色によってその偏光方向を変えている。このため、偏光スクリーンに対しては、二種類の偏向方向のいずれか一方のみしか反射させることができない。従って、このような液晶プロジェクターでスクリーンを使用すれば、ある光だけが反射しないこととなり、例えば、緑の映像でしかないとかマゼンダの映像でしかないとかの不具合が発生する。そこで、三つの液晶表示素子と、これら各液晶表示素子から出射した各色の映像光を合成するダイクロイックプリズムと、合成した映像光を拡大投射する投射レンズとを有し、三つの液晶表示素子から出射した各色の映像光の内の一色の偏光軸が他の二色の偏光軸と直交する直線偏光光である液晶プロジェクターにおいて、ダイクロイックプリズムの合成光の出射側に、１／４波長板を設ける構成を開示している。
【０００９】
また、投写光学系の入射側に波長選択的λ／２板を設けて、投写光学系に入射する画像光の偏光方向を揃える発明が、特許文献４〜７に開示されている。
【特許文献１】特開２００３−１２１８１１号公報
【特許文献２】特開２０００−２３５１６８号公報
【特許文献３】特開２０００−０９８３２２号公報
【特許文献４】米国特許公報６１８３０９１号公報
【特許文献５】特開２００３−０５７６００号公報
【特許文献６】特開２００３−０６６３７３号公報
【特許文献７】特開２００３−０７５７６９号公報
【発明の開示】
【発明が解決しようとする課題】
【００１０】
しかしながら、特許文献１〜３の発明においては、投写光学系に入射する光束が円偏光であるために、例えば表示素子の中心、絞りの重心と画面の中心を通る光線を基準軸光線としたときに、その基準軸光線は、ある光学反射面の入出光線を含む平面に対してＳ偏光成分とＰ偏光成分を含むこととなる。反射面においては、Ｐ偏光の反射率はＳ偏光の反射率より低いため、反射面を含む投写光学系に円偏光光が入射した場合、光量のロスが発生する。基準軸光線以外の光線についても同様で、Ｐ成分を含んでいるために反射率が低下し全光束の光量ロスが大きくなってしまうという問題がある。
【００１１】
また、特許文献４〜７の発明においては、偏光光が投写光学系に入射する際の偏光方向を揃えているが、投写光学系に反射面を有している旨の記載が無いため、反射面に入射する光の偏光方向が反射面に対してＰ偏光の光が入射し、反射率が低下していることが考えられる。
【００１２】
そこで、本発明では、直線偏光光の照明光で照明された液晶パネル等の表示素子からの射出光を、効率良く、ホワイトバランスを保った状態でスクリーン等の被投写面に投写する投写光学系及びそれを用いた投写型表示装置を提供することを目的とする。
【課題を解決するための手段】
【００１３】
上記目的を達成するため、本願の投写光学系は、少なくとも１つの反射面を有し、複数の直線偏光光を合成した合成光を所定の被投写面に投写する投写光学系であって、前記少なくとも１つの反射面のうち過半数の反射面に対して、略Ｓ偏光の状態で前記複数の直線偏光光を入射させることを特徴としている。また、本願の投写型表示装置は、複数の画像表示素子と、該複数の画像表示素子からの光を被投写面に投写する、前述の投写光学系とを備えることを特徴としている。
【００１４】
また、本願別側面の投写型表示装置は、複数の色光に対応する複数の画像表示素子と、前記複数の画像表示素子から出射する複数の色光を合成する合成光学系と、該合成光学系からの光束のうち前記複数の色光のうち１つの色光の偏光方向を９０度回転させる波長選択的λ／２板と、少なくとも１つの反射面を含み、前記波長選択的λ／２板から出射した光を被投写面に導く投写光学系とを備える投写型表示装置であって、前記合成光学系を経た前記複数の画像表示素子から出射する複数の色光のうち、第１の色光の偏光方向と第２の色光の偏光方向とは互いに略直交しており（８７度以上９３度以下、好ましくは８９度以上９１度以下）、前記投写光学系に入射する前記第１の色光と前記第２の色光が共に、前記少なくとも１つの反射面に対して略Ｓ偏光となることを特徴としている。
【００１５】
ここで、前記複数の色光とは、赤色光、緑色光、青色光の３つの色光であって、前記波長選択的λ／２板は、前記３つの色光のうち１つの色光又は２つの色光の偏光方向を９０度回転させる機能を有するように構成しても良い。
【００１６】
また、前記少なくとも１つの反射面は複数の反射面であって、前記複数の反射面のうち過半数の反射面に対して、前記投写光学系に入射する前記第１の色光と前記第２の色光が共に、略Ｓ偏光として入射するように構成しても良い。
【００１７】
また、前記波長選択的λ／２板を経た光束は略直線偏光となっており、該直線偏光の方向と、前記画像表示素子の中心と前記投写光学系内の開口絞りの重心とを通る基準軸光線が前記少なくとも１つの反射面において形成する入射面とが、互いに垂直となるように構成しても良い。
【発明の効果】
【００１８】
本発明により、透過型、反射型液晶表示素子等のように偏光を利用した画像表示素子からの射出する偏光光の偏光方向を投写光学系に対して所定の方向に揃えることにより、明るくホワイトバランスの整った画像を投写することが可能な投写光学系、及び投写型表示装置を得ることができる。
【発明を実施するための最良の形態】
【００１９】
本実施形態は、投写光学系内の反射面における反射率が、その光の偏光方向に対して依存性を有するという特性に基づいて、所定の反射面に対して入射する光束がＳ偏光の赤色光とＳ偏光の青色光とＰ偏光の緑色光である場合、Ｐ偏光である緑色光だけが反射率が低下してしまい、スクリーン等の被投写面上でのホワイトバランスが崩れること、及び反射面に対してＰ偏光の光が入射することによる反射率の低下による光量ロスを問題としており、それらの問題の解決を目的としている。
【００２０】
従って、本発明の実施形態は、液晶パネル等のように、直線偏光状態の光束を画像光として出射する画像表示素子からの光束を、効率良く、ホワイトバランスを保った状態でスクリーンなどの被投写面に拡大投写する投写光学系であって、特に、反射面を含む、好ましくは複数の反射面を含む光学系において、前記液晶パネル上で形成される画像の中心と投写光学系の瞳の重心を通る光線、又は前記スクリーン上に表示される画像の中心と投写光学系の瞳の重心を通る光線、又は、前記液晶パネル上で形成される画像の中心と投写光学系の瞳の重心と前記スクリーン上に表示される画像の中心を通る光線を基準軸光線とするとき、投写光学系に入射する光束（投写光学系に入射する全部の光束の９０％以上の光束、より好ましくは９５％い上の光束）の偏光方向が、投写光学系が有する第１の反射面に対する前記基準軸光線の入射光路と前記第１の反射面からの前記基準軸光線の出射光路とで形成される平面に対して、垂直であることを特徴としている。ここで、垂直とは勿論９０度を示しているが、９０度に限らず８７度以上９３度以下（好ましくは８９度以上９１度以下）であれば構わない。
【００２１】
また、本実施形態の投写光学系は、前述の基準軸光線の反射面に対する入射角度が１５度以上となるような反射面を備えている。より好ましくは、前述の基準軸光線の反射面に対する入射角度が４０度以上（５０度以上）となるような反射面を備えていることが望ましい。
【００２２】
以下に、図を用いて詳細に説明するが、上記の記載は、以下に記載する実施例において適用される。
【実施例１】
【００２３】
本発明の実施例１を図１を用いて説明する。図１は、背面投写型（リアプロジェクション）表示装置（勿論フロントプロジェクション方式でも構わない）の基準軸光線の光路図の一部である。
【００２４】
７Ｒ，７Ｂ，７Ｇは、それぞれ赤、青、緑の反射型液晶表示素子（勿論透過型液晶表示素子でも構わない）を表している。この反射型液晶表示素子は、直線偏光からなる照明光の偏光方向を照明光と同じ偏光方向又は照明光の偏光方向に対して垂直な偏光方向に選択的に変調（又は楕円偏光変調）することにより、画像光を生成する。変調された光束は、所定の偏光方向の成分のみを透過させ、残りの成分光を遮光する機能を有する偏光板９に入射する。その偏光板９から出射した光束を投写光学系によりスクリーン等の被投写面に投写している。
【００２５】
ここでは、２つのダイクロイック面（色分離面、色合成面）を有するクロスダイクロイックプリズム（色合成系）６を用いている。クロスダイクロイックプリズムにおいても、反射される光はＳ偏光の方がＰ偏光よりも反射率が高く、逆に透過される光はＰ偏光の方がＳ偏光よりも透過率が高い。従って、ここでは、クロスダイクロイックプリズムで反射される青色光と赤色光とをクロスダイクロイックプリズムのダイクロ面（反射面）に対してＳ偏光にし、クロスダイクロイックプリズムを透過する緑色光の偏光方向をクロスダイクロイックプリズムの透過面に対してＰ偏光としている。このように構成することにより、クロスダイクロイックプリズムにおける光の利用効率向上を図ることができる。この実施例１においては、そのような機能を有する光学素子として、クロスダイクロイックプリズムと偏光板（もしくは投写光学系）との間に配置された波長選択的λ／２板１４を例示している。この波長選択的λ／２板を用いることにより、各色用の液晶パネルを照明する光束の一部の光束の偏光方向を９０度回転させている（ここでは緑色光の偏光方向を９０度回転させてダイクロイック面に対してＰ偏光とし、他の赤色光、青色光の偏光方向はダイクロイック面に対してＳ偏光のままとしている）。これにより、クロスダイクロイックプリズムに対して互いに異なる偏光方向を持つ互いに異なる色光を入射させることが可能となる。
【００２６】
このような構成の表示装置において、画像光を白表示するときは、７Ｒ，７ＢにＳ偏光の状態で入射した赤色光、青色光はＳ偏光で射出し、７ＧにＰ偏光の状態で入射した緑色光はＰ偏光で射出し、クロスダイクロイックプリズム（色分解合成系）６で３色の光が色合成され、波長選択的λ／２板１４で緑色光のみが９０度偏光方向を回転され、偏光板９（ここでは、検光子として機能する）でＳ偏光は透過され、Ｐ偏光が遮光された後、Ｓ偏光のみが投写光学系１５へ入射する。ここで、赤色光、青色光、緑色光の偏光方向はこれに限らず、それぞれの色の偏光方向がこの実施例とは異なる場合も考えられる。ここでは、赤色光、青色光、緑色光すべての偏光方向が、投写光学系内の反射面に対してＳ偏光となるような（すなわち基準軸光線が形成する平面に対して垂直になるような）特性を有する波長選択的λ／２板を、色合成系と投写光学系との間に配置するのが望ましい。もし色合成光学系の構成上、色合成された時点で３色の色光が投写光学系内の反射面に対してＳ偏光となっていれば、波長選択的λ／２板は不要である。
【００２７】
ここで、前述の基準軸光線、つまり液晶表示素子上で形成される画像の中心と投写光学系の瞳の重心を通る光線、又は前記スクリーン上に表示される画像の中心と投写光学系の瞳の重心を通る光線、又は、前記液晶表示素子上で形成される画像の中心と投写光学系の瞳の重心と前記スクリーン上に表示される画像の中心を通る光線によって形成される平面（つまり、基準軸光線の投写光学系内のある反射面に対する入射面）は、図１の紙面と同じ（又は紙面と平行）である。この投写光学系に入射する光束（入射する光束の９０％以上、好ましくは９５％以上）の偏光方向は、この基準軸光線によって形成される平面（もしくは基準軸光線の投写光学系内のある反射面に対する入射面）に対して垂直（８７度以上９３度以下、好ましくは８９度以上９１度以下）である。ここで、投写光学系に入射する光束とは、投写光学系内の最初の反射面、或いは屈折面に入射する光束、言い換えれば偏光板９を出射した光束（偏光板９を出射して次の光学素子に入射する前の光束）のことである。
【００２８】
このようにして、投写光学系に入射した画像光はスクリーン１６等の被投写面に拡大投影される。
【００２９】
図２は、増反射コートアルミミラー（増反射コーティングを施したアルミミラー、勿論増反射コーティングが施してあればアルミミラーで無くても良いし、増反射コーティングを施していなくても反射率が８５％以上、もしくは９０％以上得られるのであればコーティングを施していない反射部材でも構わない）に、入射角３８度で入射するＳ偏光とＰ偏光の反射率を示すグラフである。
【００３０】
本実施例の投写光学系は反射光学系として形成されており、この反射光学系内においては、前述の基準軸光線はＳ偏光として反射される。緑の波長域（〜５５０ｎｍ）近傍では、Ｓ偏光の反射率はＰ偏光の反射率よりも１．４％高い。前述のように反射光学系の基準軸光線がＳ偏光となるようにして偏光光を投写光学系に入射させると、４枚のミラーにおいてＳ偏光で反射できるため、Ｐ偏光の成分の光を入射するよりも高い光量を得られ、明るい画像をスクリーン上に表示することができる。
【００３１】
さらに、画像光を全波長域でＳ偏光とそろえることで、反射光学素子での反射率が均一化し、投写光学系を透過した画像光のホワイトバランスが向上する。
【００３２】
なお、本実施例の反射光学系内の反射面に入射する基準軸光線の入射角度を表１に示す。ここで、基準軸光線が反射面に入射する入射角度が１５度以上の面が少なくとも１面あることが望ましい。また、入射角度が１２度以上となる反射面を３面以上備えていることが望ましい。
【００３３】
また、本実施例では、基準軸光線について述べたが、基準軸光線に対して、投写光学系の入射口においてのＳ偏光の方向と反射光学系において基準軸光線がなす平面を、直交させることは、基準軸光線が表示素子の中心および開口絞りの中心を通っているために、表示素子の周辺の主光線、さらに主光線に対して瞳を通る光線に対しても、偏り無くＳ偏光に近い反射率を得られることが出来る。
【００３４】
また、波長選択的λ／２板１４の後に画像光のコントラストを向上すべく偏光板９が配置されていたが、波長選択的λ／２板１４より偏光方向が揃えられていれば、偏光板９はなくともよい。
【００３５】
なお、背面投写型表示装置においては、光路のレイアウトを省スペース化するためにしばしば、折り曲げミラーとして平面ミラーを用いるが、反射光学系の反射光学素子と同等にＳ偏光の方がＰ偏光より反射率が高いため、平面ミラーを反射光学系で基準軸光線がなす平面と同一面内に基準軸光線を反射させる配置にすればよい。
【００３６】
また、ミラーの組み合わせで、基準軸光線が複数のミラーに対してはＳ偏光として入射し、別のミラーに対してはＰ偏光として入射することがありえる。この場合、光量を高めるために、基準軸光線がＳ偏光として入射する反射面の数を、基準軸光線がＰ偏光として入射する反射面の数よりも多くなるような反射光学系を構成すれば良い。勿論、反射光学系の途中（第１反射面と第２反射面との間）にλ／２板を配置することにより、基準軸光線がすべての反射面に対してＳ偏光として入射するように構成しても構わない。
【００３７】
また、表示素子７Ａ、７Ｂ、７Ｃは、実施例中に記載したように反射型液晶表示素子でも良いし、透過型液晶表示素子でも良い。
【００３８】
また、投写光学系１５は、中空タイプでも中実タイプでもよいし、一部が中空、一部が中実であっても構わない。また、投写光学系１５を中空のミラーで構成する場合、反射面にごみが付着しないようにするために、反射光学素子もしくは反射光学系全体を密閉構造とし、画像の入出口を薄い平面ガラスでふさいでおけば、ガラスの上にごみが堆積するので、容易に除去できる。勿論その平面ガラスに屈折力を持たせても構わない。
【００３９】
【表１】
2006003637.tif 000003
【００４０】
（実施例２）
本発明の実施例２の反射光学素子を有するフロントプロジェクターの光学系全体図を図３に示す。この実施例２において特に記載しない部分に関しては実施例１と同じである。
【００４１】
本実施例は、フロントプロジェクターの光学系の光路の断面図をあらわす。また、本実施例では、７１Ｒ，７１Ｇ，７１Ｂの３つの反射型液晶表示素子（勿論透過型でも構わない）を射出した、それぞれ赤緑青の偏光光が、色合成系かつ検光子として機能するＰＢＳブロック６１の偏光のフィルタ作用を受けて波長選択的λ／２板１４１に達する。ＰＢＳブロック６１を射出する際に、緑の光はＰ偏光、赤青の光はＳ偏光であるため、波長選択的λ／２板１４１は緑の光だけの偏光方向を９０度回転して、赤青の光は偏光方向を変えずに投写光学系１５１に導く。勿論、赤色光、青色光、緑色光の偏光方向はこれに限らず、赤色光、青色光、緑色光すべての偏光方向が、投写光学系内の反射面に対してＳ偏光となるような（すなわち基準軸光線が形成する平面に対して垂直になるような）特性を有する波長選択的λ／２板を、色合成系と投写光学系との間に配置するのが望ましい。尚、この実施例２においては、投写光学系が、複数の屈折光学素子と、複数の反射光学素子とで形成されているため、波長選択的λ／２板の配置場所は、屈折光学素子の間に入れても構わないし、屈折光学素子と反射光学素子との間にいれても構わない。但し、もし色合成光学系の構成上、色合成された時点で３色の色光が投写光学系内の反射面に対してＳ偏光となっていれば、波長選択的λ／２板は不要である。また逆に、波長選択的λ／２板を入れて、それよりスクリーン側に偏光板を配置しても構わない。
【００４２】
以上のような構成により、Ｓ偏光にそろった画像光が反射光学系を有する投写光学系１５１に入射することになる。一方反射光学系を有する投写光学系１５１は、基準軸光線が反射光学系でなす平面と、画像光の直線偏光の偏光方向の向きを直交するように配置している。
【００４３】
そのため、実施例１と同様、反射光学素子において高い反射率が得られるので、投写光学系として高い光量かつホワイトバランスの整った画像を画面１６１で得られることになる。
【００４４】
なお、本実施例の反射光学素子に入射する基準軸光線の入射角度を表２に示す。ここで、投写光学系は、基準軸光線の入射角度が５０度以上となるような反射面を１面以上有していることが望ましく、また入射角度が３０度以上となる反射面を４面以上有していることが望ましい。
【００４５】
また本実施例で示すように投写光学系は屈折光学系と反射光学系の両者を含むように構成しても良い。
【００４６】
上記の実施例１、２における投写光学系は、反射面を１面しか有していなくても構わないし、勿論実施例に記載したように複数の反射面を有していても構わない。その中で、反射面に対して略Ｓ偏光として光を入射させるように構成する（基準軸光線が、所定の反射面への入射面に対して垂直な偏光方向を有するように構成する）点が、本実施例の特徴である。ここで、反射面が１つしか無い場合には、その反射面に入射する基準軸光線の偏光方向が、その反射面への入射面に対して垂直であることが望ましい。また、反射面が複数ある場合には、基準軸光線が、複数の反射面のうち過半数（好ましくは８割以上、より好ましくはすべて）の反射面への入射面に対して垂直な偏光方向を有するように構成することが望ましい。
【００４７】
また、本実施例は、投写光学系及び投写型表示装置についてのみ記載しているが、勿論直線偏光光を用いる光学系であれば、撮像光学系等の別の光学系でも構わない。
【００４８】
【表２】
2006003637.tif 000004
【図面の簡単な説明】
【００４９】
【図１】背面投写型表示装置の基準軸光線の光路図の一部
【図２】増反射コートアルミのＳ偏光とＰ偏光の反射率入射角度３８°
【図３】反射光学素子を有するフロントプロジェクターの光学系全体
【符号の説明】
【００５０】
７Ｒ，７Ｇ，７Ｂ，７１Ｒ，７１Ｇ，７１Ｂ  偏光を利用した表示素子
６，６１  色合成系
１４，１４１  特定の波長域の偏光方向を９０度変換する素子、カラーセレクト
１５，１５１  反射光学素子を有する投写光学系
１６，１６１  画光学素子
【図１】
2006003637.tif 000005
【図２】
2006003637.tif 000006
【図３】
2006003637.tif 000007